(57)【特許請求の範囲】
【請求項１】
一方の建物のアングル状の外壁面とアングル状の目地部を介して他方の建物が設けられた部位において、前記一方の建物の目地部側の角部の外壁に後端寄りの一方の角部側が枢支ピンで枢支され、先端部および後端の他方の角部が前記他方の建物の目地部側床面にスライド移動可能に支持された床目地部を覆う回動可能な回動目地プレートと、この回動目地プレートの先端部側の一側面を常時前記他方の建物の壁面に当接するように位置させる回動目地プレート位置決め機構と、前記回動目地プレートの後端部側の上面を覆い、かつ該回動目地プレートの回動を阻止しない隙間を有するように突出する突出カバー部を有する前記一方の建物の外壁に後端部が取付けられ、先端部が前記他方の建物の目地部側床面にスライド移動可能に支持された、前記目地部を覆う目地プレートとからなることを特徴とする床用目地装置。
【請求項２】
回動目地プレートおよび目地プレートは目地部の幅寸法の２倍の幅寸法に形成されたものが用いられていることを特徴とする請求項１記載の床用目地装置。
【請求項３】
回動目地プレートの先端部側および目地プレートの先端部側は他方の建物の床面に固定されたＬ字状のカバープレートで、該回動目地プレートおよび目地プレートの移動が可能に覆われていることを特徴とする請求項１記載の床用目地装置。
【発明の詳細な説明】
【技術分野】
【０００１】
本発明は一方の建物のアングル状の外壁面とアングル状の目地部を介して他方の建物が設けられた部位の床目地部を、地震で一方の建物と他方の建物とが異なる方向に揺れ動いても、目地部に隙間が生じないように覆うことができる床用目地装置に関する。
【背景技術】
【０００２】
従来の床用目地装置は一方の建物と他方の建物との間の長方形状の目地部を覆う目地装置が実用化されているが、一方の建物の外壁面との間に目地部を介して他方の建物の床躯体が位置する部分のアングル状の目地部を覆う所に使用すると、一方の建物と他方の建物とが異なる左右方向に揺れ動く場合には、その揺れ動きを吸収して問題が生じないが、異なる前後方向に揺れ動くと、目地プレートが他方の建物の壁面と衝突して損傷するという欠点があった。
【先行技術文献】
【特許文献】
【０００３】
【特許文献１】特許第３１２２３５６号公報
【発明の概要】
【発明が解決しようとする課題】
【０００４】
本発明は以上のような従来の欠点に鑑み、一方の建物のアングル状の外壁面との間に目地部を介して他方の建物の床面が位置するアングル状の目地部を形成しなければならない所でも、地震で一方の建物と他方の建物が異なる前後左右方向に揺れ動いても、その揺れ動きを目地部に隙間が生じることなく確実に覆って安全に使用することができ、かつ構造が簡単で、楽で、安価に設置することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は一方の建物のアングル状の外壁面とアングル状の目地部を介して他方の建物が設けられた部位において、前記一方の建物の目地部側の角部の外壁に後端寄りの一方の角部側が枢支ピンで枢支され、先端部および後端の他方の角部が前記他方の建物の目地部側床面にスライド移動可能に支持された床目地部を覆う回動可能な回動目地プレートと、この回動目地プレートの先端部側の一側面を常時前記他方の建物の壁面に当接するように位置させる回動目地プレート位置決め機構と、前記回動目地プレートの後端部側の上面を覆い、かつ該回動目地プレートの回動を阻止しない隙間を有するように突出する突出カバー部を有する前記一方の建物の外壁に後端部が取付けられ、先端部が前記他方の建物の目地部側床面にスライド移動可能に支持された、前記目地部を覆う目地プレートとで床用目地装置を構成している。
【発明の効果】
【０００７】
以上の説明から明らかなように、本発明にあっては次に列挙する効果が得られる。
（１）請求項１により、一方の建物のアングル状の外壁面とアングル状の目地部を介して他方の建物が設けられた部位の床目地部を、回動目地プレートと目地プレートで覆っているので、地震で一方の建物と他方の建物が異なる前後左右方向に揺れ動いても、目地プレートのスライド移動および回動目地プレートのスライド移動と回動によって床目地部に隙間が生じることなく、その揺れ動きを吸収することができる。
したがって、安全に使用することができるとともに、回動目地プレートと目地プレートの損傷を効率よく阻止することができる。
（２）前記（１）により、回動目地プレートの枢支ピンを支点とした回動を目地プレートのカバー部内で行なえるので、段差が生じることなく、安全に使用することができる。
（３）前記（１）により、回動目地プレート位置決め機構によって、回動目地プレートの先端部の一側面を他方の建物の壁面に常時当接するように位置させているので、回動目地プレートの先端部の一側面と他方の建物の壁面との間に隙間が生じないので、安全に使用することができる。
（４）前記（１）により、目地プレートのカバー部内で回動目地プレートが回動できるように取付けることができるので、構造が簡単で、楽で、安価に設置することができる。
（５）請求項２も前記（１）〜（４）と同様な効果が得られるとともに、一方の建物と他方の建物が目地部の幅寸法分の異なる前後左右方向に揺れ動いても、その揺れ動きを確実に吸収することができる。
（６）請求項３も前記（１）〜（４）と同様な作用効果が得られるとともに、回動目地プレートおよび目地プレートの先端部側をＬ字状のカバープレートで覆っているので、より安全に使用することができるとともに、美観の向上を図ることができる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態の回動目地プレートの説明図。
【図５】本発明を実施するための第１の形態の目地プレートの説明図。
【図６】本発明を実施するための第１の形態のカバープレートの説明図。
【図７】地震により一方の建物と他方の建物が異なる左右方向に離れるように揺れ動く動作説明図。
【図８】地震により一方の建物と他方の建物が異なる左右方向に近づくように揺れ動く動作説明図。
【図９】地震により一方の建物と他方の建物の異なる前後方向の一方に揺れ動く説明図。
【図１０】地震により一方の建物と他方の建物の異なる前後方向の他方に揺れ動く説明図。
【図１１】本発明を実施するための第２の形態の平面図。
【図１２】図１１の１２−１２線に沿う断面図。
【図１３】図１１の１３−１３線に沿う断面図。
【図１４】本発明を実施するための第２の形態の回動目地プレートの説明図。
【図１５】本発明を実施するための第２の形態の目地プレートの説明図。
【図１６】本発明を実施するための第３の形態の平面図。
【図１７】図１６の１７−１７線に沿う断面図。
【図１８】図１６の１８−１８線に沿う断面図。
【発明を実施するための形態】
【０００９】
以下、図面に示す本発明を実施するための形態により、本発明を詳細に説明する。
【００１０】
図１ないし１０図に示す本発明を実施するための第１の形態において、１は一方の建物２のアングル状の外壁面３とアングル状の目地部４を介して他方の建物５が設けられた部位の床目地部４を覆う本発明の床用目地装置で、この床用目地装置１は前記一方の建物２の目地部側の角部の外壁３に後端寄りの一方の角部側が枢支ピン６を用いた取付け具７で枢支され、先端部および後端の他方の角部が前記他方の建物５の目地部側床面５ａにスライド移動可能に支持された床目地部４を覆う回動可能な回動目地プレート８と、この回動目地プレート８の先端部側の一側面を常時前記他方の建物５の壁面５ｂに当接するように位置させる回動目地プレート位置決め機構９と、前記回動目地プレート８の後端部側の上面を覆い、かつ該回動目地プレート８の回動を阻止しない隙間１０を有するように突出するカバー部１１を有する後端部が前記一方の建物２の外壁３に複数個のヒンジ部材を用いた取付け具１２を介して取付けられ、先端部が前記他方の建物５の目地部側床面５ａにスライド移動可能に支持された前記床目地部４を覆う目地プレート１３と、この目地プレート１３の先端部および前記回動目地プレート８の先端部側を覆う、前記他方の建物５の床面５ａに複数本のアンカーピン１４で固定されたＬ字状のカバープレート１５とで構成されている。
【００１１】
前記回動目地プレート８は図４に示すように、先端部が前記他方の建物５の床面５ａをスライド移動できる方形状で、前記床目地部４の幅寸法Ｌの約２倍の幅寸法の回動目地プレート本体１６と、この回動目地プレート本体１６の壁面３、５ａ側に位置する後端部と先端部に、該回動目地プレート本体１６の回動を阻止しないように形成した切欠部１７、１８とで構成されている。
【００１２】
前記回動目地プレート８の取付け具７は前記回動目地プレート本体１６の後端部寄りの外壁３側に固定された皿ビス状の枢支ピン６と、この枢支ピン６を回動可能に支持する前記一方の建物２の目地部側の角部の外壁３に複数本のアンカーピン１９で固定された筒状の軸受部材２０とで構成されている。
【００１３】
前記回動目地プレート位置決め機構９は一端部が前記回動目地プレート８のほぼ中央底面に取付けられ、他端部が前記他方の建物５の該回動目地プレート８と離れている部分の壁面５ｂに取付けられた付勢スプリング２１とで構成されている。
【００１４】
前記目地プレート１３は図５に示すように、前記床目地部の幅寸法Ｌの約２倍の幅寸法で、前記他方の建物５の床面５ａをスライド移動できる目地プレート本体２２と、この目地プレート本体２２の一端部より下部に凹部２３を有するように突出させたカバー部１１とで構成されている。
【００１５】
前記カバープレート１５は図６に示すように、Ｌ字状に形成されたカバープレート本体２４と、このカバープレート本体２４の外側の底面に下方へ突出するように形成された前記目地プレート１３の厚さ分の脚部２５とで構成されている。
【００１６】
上記構成の床用目地装置１は地震で一方の建物２と他方の建物５が異なる左右方向に離れるように揺れ動くと、図７に示すように目地プレート１３および回動目地プレート８は一方の建物２と一体になって移動し、先端部側は他方の建物５の床面５ａおよびカバープレート１５内をスライド移動して、その揺れ動きを吸収する。
【００１７】
地震で一方の建物２と他方の建物５が異なる左右方向に近づくように揺れ動くと、図８に示すように目地プレート１３および回動目地プレート８は一方の建物２と一体になって移動し、先端部側は他方の建物５の床面５ａおよびカバープレート１５内をスライド移動して、その揺れ動きを吸収する。
【００１８】
地震により一方の建物２と他方の建物５の異なる前後方向の一方に揺れ動くと、図９に示すように回動目地プレート８を他方の建物５の壁面５ｂで押して枢支ピン６を支点に回動させ、床目地部４に隙間が生じることなく覆った状態を保つ。
なお、この回動目地プレート８の回動はカバー部１１の隙間１０分だけ回動することができる。
【００１９】
地震により一方の建物２と他方の建物５の異なる前後方向の他方に揺れ動くと、図１０に示すように回動目地プレート８の先端部側は回動目地プレート位置決め機構９の付勢スプリング２１によって他方の建物５の壁面５ｂ方向に付勢され、枢支ピン６を支点に回動して、その揺れ動きを床目地部４に隙間を生じさせることなく覆った状態を保つ。
なお、この回動目地プレート８の回動は、回動目地プレート８とカバー部１１の重なっている寸法分だけ安全に移動できる。  
【００２０】
[発明を実施するための異なる形態]
次に、図１１ないし図１８に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１１ないし図１５に示す本発明を実施するための第２の形態において、前記本発明を実施するための第１の形態と主に異なる点は、先端部の底面に所定間隔で複数個のローラ２６を取付けた回動目地プレート８Ａと、先端部の底面に所定間隔で複数個のローラ２６を取付けた目地プレート１３Ａと、この目地プレート１３Ａの上面からローラ２６の接地面との間の目地プレート１３Ａの厚さ寸法分の脚部２５Ａの寸法としたカバープレート１５Ａを用いた点で、このような回動目地プレート８Ａ、目地プレート１３Ａおよびカバープレート１５Ａを用いて構成した床用目地装置１Ａにしても、前記本発明を実施するための第１の形態と同様な作用効果が得られるとともに、回動目地プレート８Ａおよび目地プレート１３Ａをよりスムーズに他方の建物５の床面５ａをスライド移動させることができる。
【００２２】
図１６ないし図１８に示す本発明を実施するための第３の形態において、前記本発明を実施するための第１の形態と主に異なる点は、カバープレートを使用しないで床用目地装置１Ｂを構成した点で、このように構成した床用目地装置１Ｂにしても前記本発明を実施するための第１の形態と同様な作用効果が得られる。
【００２３】
なお、前記本発明を実施するための各形態では回動目地プレート位置決め機構として付勢スプリング２１を用いるものについて説明したが、本発明はこれに限らず、他方の建物５の壁面５ｂの下部に沿ってガイドレールを固定し、該ガイドレールと係合する係合ピンを回動目地プレートの壁面５ｂ側の先端部に取付けたものを用いても、同様な作用効果が得られる。
【産業上の利用可能性】
【００２４】
本発明はアングル状の目地部を覆い、地震の前後左右方向の異なる揺れ動きを吸収することができる床用目地装置を製造する産業で利用される。
【符号の説明】
【００２５】
１、１Ａ、１Ｂ：床用目地装置、２：一方の建物、
３：外壁、        ４：アングル状の目地部、
５：他方の建物、      ６：枢支ピン、
７：取付け具、      ８、８Ａ：回動目地プレート、
９：回動目地プレート位置決め機構、
１０：隙間、        １１：カバー部、
１２：取付け具、      １３、１３Ａ：目地プレート、
１４：アンカーピン、    １５、１５Ａ：カバープレート、
１６：回動目地プレート本体、  １７、１８：切欠部、
１９：アンカーピン、    ２０：軸受部材、
２１：付勢スプリング、    ２２：目地プレート本体、
２３：凹部、        ２４：カバープレート本体、
２５、２５Ａ：脚部。
【図１】
0005364758.tif 000002
【図２】
0005364758.tif 000003
【図３】
0005364758.tif 000004
【図４】
0005364758.tif 000005
【図５】
0005364758.tif 000006
【図６】
0005364758.tif 000007
【図７】
0005364758.tif 000008
【図８】
0005364758.tif 000009
【図９】
0005364758.tif 000010
【図１０】
0005364758.tif 000011
【図１１】
0005364758.tif 000012
【図１２】
0005364758.tif 000013
【図１３】
0005364758.tif 000014
【図１４】
0005364758.tif 000015
【図１５】
0005364758.tif 000016
【図１６】
0005364758.tif 000017
【図１７】
0005364758.tif 000018
【図１８】
0005364758.tif 000019